(57)【要約】 【課題】  ＤＣモータ等の安価な駆動手段によっても、バースト領域のほぼ中央に記録再生ヘッドを動的に位置付け、バースト領域の再生を円滑に行う。【解決手段】  光ヘッドをバースト領域直近のグルーブ１０１にアクセスさせた後、スレッドモータ３０を駆動して光ヘッドをバースト領域１０３方向に移動させ、同時に、タイマーの計時を開始させる。ビームスポットがバースト領域１０３を抜け切るまでの所要時間Ｔを計測し、この所要時間Ｔを３／５してシーク時間Ｔ０とする。バースト領域１０３の再生時、光ヘッドをバースト領域直近のグルーブ１０１にアクセスさせた後、スレッドモータ３０を上記と同一の駆動力で駆動し、シーク時間Ｔ０だけ光ヘッドをバースト領域１０３方向に移動させる。これにより、ビームスポットをバースト領域１０３のほぼ中央に位置付け、その後、バースト領域１０３の再生を行う。【選択図】  図３
2005085415.tif 000002
【特許請求の範囲】
【請求項１】
記録トラックが形成されたトラック領域と、記録トラックが形成されていないバースト領域とを有するディスク媒体に対し情報を記録し、および／もしくは、当該ディスク媒体から情報を再生するディスク記録再生装置において、
所定の駆動力を付与して記録再生ヘッドを前記ディスク媒体の径方向に移動させるヘッド移動手段と、
前記駆動力によって前記記録再生ヘッドを移動させたときに、前記バースト領域の径方向開始縁から径方向終了縁まで移動するに要する時間を検出するバースト走査時間検出手段と、
前記検出時間に基づいて前記バースト領域の径方向開始縁からバースト領域の略中央位置まで前記記録再生ヘッドを移動させるに必要な前記駆動力の付与時間を決定する付与時間決定手段とを有し、
前記記録再生ヘッドを前記バースト領域の径方向開始縁近傍の前記トラック領域に位置付けた後、前記付与時間決定手段によって決定した付与時間だけ前記ヘッド移動手段によって駆動力を付与し、前記記録再生ヘッドを前記バースト領域方向に移動させ、前記記録再生ヘッドを前記バースト領域のほぼ中央に位置付ける、
ことを特徴とするディスク記録再生装置。
【請求項２】
請求項１において、
前記バースト走査時間検出手段は、前記記録再生ヘッドを移動させたときに該記録再生ヘッドから出力される検出信号に基づいて前記バースト領域を走査中であるか否かを判別する判別手段と、該判別手段による判別結果に応じて前記バースト領域の径方向開始縁から径方向終了縁まで移動するに要する時間を計測するタイマー手段とを含む、
ことを特徴とするディスク記録再生装置。
【請求項３】
請求項２において、
前記タイマー手段は、前記バースト領域直近の前記記録トラックから前記バースト領域に向かって前記駆動力にて前記記録再生ヘッドを移動させたときに計測を開始し、前記判別手段がバースト領域の走査終了を判別したときに計測を終了する、
ことを特徴とするディスク記録再生装置。
【請求項４】
請求項１において、
前記バースト走査時間検出手段は、前記トラック領域上を前記記録再生ヘッドが径方向に移動させたときに該記録再生ヘッドから出力される検出信号に基づいて走査トラック数を計測するカウンタ手段と、前記駆動力にて前記記録再生ヘッドを前記径方向に移動させてから所定トラック数を前記カウンタ手段がカウントするまでの時間を計測するタイマー手段とを含み、前記タイマー手段の計測値に基づいて、前記記録再生ヘッドが前記バースト領域の径方向開始縁から径方向終了縁まで移動するに要する時間を近似検出する、
ことを特徴とするディスク記録再生装置。
【請求項５】
請求項４において、
前記タイマー手段は、前記駆動力にて前記記録再生ヘッドを前記径方向に移動させてから前記バースト領域の径方向の幅に相当するトラック数を前記カウンタ手段がカウントするまでの時間を計測する、
ことを特徴とするディスク記録再生装置。
【請求項６】
請求項５において、
前記カウンタ手段によるトラック数のカウントおよび前記タイマー手段による時間の計測を、前記バースト領域近傍の前記トラック領域にて前記記録再生ヘッドを移動させて行う、
ことを特徴とするディスク記録再生装置。
【発明の詳細な説明】
【技術分野】
【０００１】
本発明は、ディスク記録再生装置に関するものであり、特に、記録トラックが形成されたトラック領域と、記録トラックが形成されていないバースト領域とを有するディスク媒体に対し情報を記録し、および／もしくは、当該ディスク媒体から情報を再生する際に用いて好適なものである。
【背景技術】
【０００２】
現在普及しているディスク媒体の多くは、シリアルナンバー等のディスク固有情報が予めディスク上に記録されている。かかるディスク固有情報は、たとえば、コンテンツの著作権保護に利用される。ディスク固有情報によってコンテンツをスクランブルしてディスクに記録すれば、コンテンツのみを他のディスクにコピーして再生しようとしても、当該ディスクの固有情報とスクランブル時の固有情報が相違することとなるため、コンテンツのスクランブルを解くことはできない。これにより、コンテンツの無断複製を防止することができる。
【０００３】
ディスク固有情報は、これまでピット等の形態にてディスク上に予め記録されていた。これに対し、ＣＰＲＭ（Contents Protect for Recordable Media）対応のＤＶＤ−Ｒ（Digital Versatile Disc for Recordable）やＤＶＤ−ＲＷ（Digital Versatile Disc for Re-Writabale）では、グルーブとランドからなるトラック領域とは別に、グルーブとランドのないリング状のバースト領域（BCA : Burst Cutting Area）を径方向の所定の位置に配し、このバースト領域の記録膜を部分的に焼き切ることによって、ディスクの固有情報を記録する方法が採用されている。この場合、ディスク固有情報の読み取りは、ディスクを所定速度で回転させながらビームスポットをバースト領域に位置付け、このときの反射光の状態を光検出器で検出することによって行われる。
【非特許文献１】平成13年8月20日電波新聞社発行「ＤＶＤ＆ＤＶＣ入門基本18章」
【発明の開示】
【発明が解決しようとする課題】
【０００４】
上記バースト領域には案内トラック（グルーブ、ランド）が形成されていないため、トラッキングサーボＯＦＦの状態で読み取り動作が行われる。しかしながら、バースト領域の幅は１ｍｍ以下に設定されているため、ディスクの偏心等を考慮すると、バースト領域のほぼ中央にビームスポットを位置付けておかないと、ディスクの回転に伴ってビームスポットがバースト領域から外れてしまい、その結果、ディスク固有情報を正確に読み取れないことが起こり得る。
【０００５】
これに対し、バースト領域の幅が固定されている場合には、光ヘッド送り用のモータとしてステッピングモータを用いることにより、バースト領域のほぼ中央にビームスポットを位置付けることができる。すなわち、バースト領域の開始位置からバースト領域幅の半分の距離だけステッピングモータにて光ヘッドを送るようにすれば、バースト領域のほぼ中央にビームスポットを位置付けることができる。
【０００６】
しかし、ステッピングモータはＤＣモータに比べ高価であるため、光ヘッド送り用のモータとしてステッピングモータを採用すると、装置全体のコストが増大してしまう。また、バースト領域の幅がディスク毎に変動すると、ステッピングモータの送り量を一義的に決めることができず、よって、精度よくビームスポットを位置付けることができなくなる。
【０００７】
本発明は、かかる問題を解決するものであって、ＤＣモータ等の安価な駆動手段によっても、バースト領域のほぼ中央に記録再生ヘッドを動的に位置付けることができ、バースト領域の情報を円滑に読み取り得るディスク記録再生装置を提供することを課題とする。
【課題を解決するための手段】
【０００８】
上記課題に鑑み、本発明は以下の特徴を有する。
【０００９】
請求項１の発明は、記録トラックが形成されたトラック領域と、記録トラックが形成されていないバースト領域とを有するディスク媒体に対し情報を記録し、および／もしくは、当該ディスク媒体から情報を再生するディスク記録再生装置において、所定の駆動力を付与して該記録再生ヘッドを前記ディスク媒体の径方向に移動させるヘッド移動手段と、前記駆動力によって前記記録再生ヘッドを移動させたとき、前記バースト領域の径方向開始縁から径方向終了縁まで移動するに要する時間を検出するバースト走査時間検出手段と、前記検出時間に基づいて前記バースト領域の径方向開始縁からバースト領域の略中央位置まで前記記録再生ヘッドを移動させるに必要な前記駆動力の付与時間を決定する付与時間決定手段とを有することを特徴としている。そして、前記記録再生ヘッドを前記バースト領域の径方向開始縁近傍の前記トラック領域に位置付けた後、前記付与時間決定手段によって決定した付与時間だけ前記ヘッド移動手段によって駆動力を付与し、前記記録再生ヘッドを前記バースト領域方向に移動させ、前記記録再生ヘッドを前記バースト領域のほぼ中央に位置付けるものである。
【００１０】
請求項２の発明は、請求項１に記載のディスク記録再生装置において、前記バースト走査時間検出手段は、前記記録再生ヘッドを移動させたときに該記録再生ヘッドから出力される検出信号に基づいて前記バースト領域を走査中であるか否かを判別する判別手段と、該判別手段による判別結果に応じて前記バースト領域の径方向開始縁から径方向終了縁まで移動するに要する時間を計測するタイマー手段とを含むことを特徴とする。
【００１１】
請求項３の発明は、請求項２に記載のディスク記録再生装置において、前記タイマー手段は、前記バースト領域直近の前記記録トラックから前記バースト領域に向かって前記駆動力にて前記記録再生ヘッドを移動させたときに計測を開始し、前記判別手段がバースト領域の走査終了を判別したときに計測を終了することを特徴とする。
【００１２】
請求項４の発明は、請求項１に記載のディスク記録再生装置において、前記バースト走査時間検出手段は、前記トラック領域上を前記記録再生ヘッドが径方向に移動させたときに該記録再生ヘッドから出力される検出信号に基づいて走査トラック数を計測するカウンタ手段と、前記駆動力にて前記記録再生ヘッドを前記径方向に移動させてから所定トラック数を前記カウンタ手段がカウントするまでの時間を計測するタイマー手段とを含み、前記タイマー手段の計測値に基づいて、前記記録再生ヘッドが前記バースト領域の径方向開始縁から径方向終了縁まで移動するに要する時間を近似検出することを特徴とする。
【００１３】
請求項５の発明は、請求項４に記載のディスク記録再生装置において、前記タイマー手段は、前記駆動力にて前記記録再生ヘッドを前記径方向に移動させてから前記バースト領域の径方向の幅に相当するトラック数を前記カウンタ手段がカウントするまでの時間を計測することを特徴とする。
【００１４】
請求項６の発明は、請求項５に記載のディスク記録再生装置において、前記カウンタ手段によるトラック数のカウントおよび前記タイマー手段による時間の計測を、前記バースト領域近傍の前記トラック領域にて前記記録再生ヘッドを移動させて行うことを特徴とする。
【００１５】
なお、上記バースト走査時間検出手段における時間検出を、ディスク媒体を回転させながら行うと、ディスク偏心等の影響によって、記録再生ヘッドとバースト領域および記録トラックとの間の相対位置がディスク媒体の回転に伴って径方向に振動するため、どのタイミングで時間検出を行うかによって検出結果がまちまちとなり、１回の時間検出だけでは、検出結果が不適正となるおそれがある。よって、かかる時間検出を複数回実行してその平均値を検出結果とする等、検出時間の適正化を図る措置を講ずると良い。
【発明の効果】
【００１６】
本発明によれば、バースト領域の径方向開始縁からバースト領域の略中央位置まで前記記録再生ヘッドを移動させるに必要な駆動力の付与時間を、当該駆動力にて記録再生ヘッドを実際に移動させた結果から決定し、決定した付与時間だけ当該駆動力を付与して、記録再生ヘッドをバースト領域の径方向開始縁近傍からバースト領域方向に移動させるものであるから、バースト領域の幅がディスク媒体毎に異なっていても、常に良好に、記録再生ヘッドをバースト領域のほぼ中央に位置付けることができる。また、駆動力の付与時間をもって記録再生ヘッドをバースト領域のほぼ中央に位置付けるものであるから、記録再生ヘッドを移動させる駆動源は同一の駆動力を付与し得るものであれば如何なるものであってもよく、もって、ＤＣモータ等、安価な駆動源を採用することも可能となる。よって、本発明によれば、装置本体のコストを上昇させることなく、バースト領域に記録された情報を円滑に読み取り再生することができるディスク記録再生装置を提供できる。
【００１７】
ここで、バースト領域を走査するに要する時間の検出は、請求項２または３のように、バースト領域を走査してみて検出する方法を用いることができ、また、請求項４または５のように、トラック領域を走査してみてその検出結果から近似検出する方法を用いることもできる。
【００１８】
請求項２または３のように、バースト領域を走査してみて検出する方法を用いると、バースト領域の走査に要する時間の検出を精度よく行うことができる。また、請求項４または５のように、トラック領域を走査したときの所要時間からバースト領域の走査所要時間を近似検出する方法を用いると、アクセス動作にて通常用いられるトラックカウント手段を共用しながらバースト領域走査時の所要時間を近似検出することができるので、さらなる構成の簡素化を図ることができる。
【００１９】
請求項４または５の構成を採用する場合には、請求項６のように、バースト領域近傍のトラック領域を走査したときの所要時間からバースト領域走査時の所要時間を近似検出するようにすると良い。これにより、実際にバースト領域を走査したときの所要時間と当該近似検出結果との間の誤差を小さくすることができる。
【００２０】
本発明の特徴ないしその技術的意義および効果は、以下に示す実施の形態の説明により更に明らかとなろう。ただし、以下の実施の形態は、あくまでも、本発明の一つの実施形態であって、本発明ないし各構成要件の用語の意義等は、以下の実施の形態に記載されたものに制限されるものではない。
【発明を実施するための最良の形態】
【００２１】
以下、本発明の実施の形態につき図面を参照して説明する。
【００２２】
まず、図１に実施の形態に係る光ディスクの構造を示す。
【００２３】
図示のとおり、ディスク１００は、トラック領域１０４とバースト領域１０３にエリア分割されている。このうち、トラック領域１０４には、螺旋状のグルーブ１０１と、隣り合うグルーブ間に介在するランド１０２が形成されている。これらグルーブ１０１とランド１０２の表面には記録層が形成されており、高強度のレーザ光を照射することによって情報の記録が可能となっている。すなわち、高強度のレーザ光が照射されると、その部分には、反射率が低下した記録マークが形成される。なお、情報の記録は、グルーブ１０１に対して行われる。情報の再生は、ディスク１００を所定速度で回転させながら、低強度のレーザ光をグルーブ１０１に照射することによって行われる。このとき、トラッキングサーボはＯＮとされる。よって、レーザ光のビームスポットはグルーブ１０１を追従する。
【００２４】
バースト領域１０３は、ディスク中心から所定径寸法の位置にリング状に配されており、ランド１０２と同じ高さを有している。その表面には、ランド１０２と同様に記録層が形成されている。記録層は、ディスク固有情報に応じて、部分的に焼失されている。図中、ハッチ部分が焼失された部分である。この部分は記録層がないため、他の部分に比べて反射率が低下している。ディスク固有情報の読み取りは、ディスク１００を所定速度で回転させながら、低強度のレーザ光をバースト領域１０３に照射することによって行われる。このとき、トラッキングサーボはＯＦＦとされる。よって、レーザ光のビームスポットは、ディスク偏心等の影響により、バースト領域１０３の幅方向に振動しながら、バースト領域１０３を走査する。
【００２５】
図２に、グルーブ１０１およびランド１０２の構成の詳細と、各種信号の生成回路を示す。
【００２６】
図示のとおり、グルーブ１０１とランド１０２は一定の周波数で蛇行（ウォブル）している。このウォブルは、記録再生クロックを生成するために利用される。また、ランド１０２上には、グルーブ１０１と同じ深さのランドＰＰ（プリピット）１０５が形成されている。このランドＰＰ１０５には、アドレスデータが記録されている。ランドＰＰ１０５の形成位置は予め決められており、その位置にランドＰＰ１０５が形成されているかによって、Ｓｙｎｃ（同期）、１、０のデータが記録される。たとえば、連続する３つの位置に全てランドＰＰ１０５が形成されていれば“Ｓｙｎｃ”とされ、１番目と３番目のみにランドＰＰ１０５が形成されていれば“１”とされ、１番目のみにランドＰＰ１０５が形成されていれば“０”とされる。
【００２７】
なお、上記ランドＰＰ１０５は、一つのランド１０２上に形成されたランドＰＰ１０５と、このランドに隣接するランド１０２上に形成されたランドＰＰ１０５とが、径方向に並ばないように配置されている。
【００２８】
レーザ光のビームスポットは、同図に示すようにしてグルーブ１０１上を移動し、その反射光が４分割センサー（センサーＡ〜Ｄ）によって受光される。たとえば、同図のようにビームスポットを４つの領域に分割すると、領域Ａ、Ｂ、Ｃ、Ｄの反射光はそれぞれセンサーＡ、Ｂ、Ｃ、Ｄに受光される。
【００２９】
センサーＡ、Ｂ、Ｃ、Ｄの出力信号を加算回路３１、３２、３３で加算することによりＲＦ信号が生成される。グルーブ再生時、ビームスポットがグルーブ１０１上の記録マークに掛かると、ＲＦ信号に立ち下がりパルスが現れる。また、バースト領域再生時、ビームスポットがバースト領域１０３上の記録層焼失部分に掛かると、ＲＦ信号に立ち下がりパルスが現れる。かかるＲＦ信号を復調することによって、グルーブ１０３上の情報またはバースト領域上のディスク固有情報が再生される。
【００３０】
センサーＡ、Ｂの出力信号を加算回路３１で加算した値から、センサーＣ、Ｄの出力信号を加算回路３２で加算した値を、減算回路３６で減算することによりプッシュプル信号が生成される。グルーブ再生時、ビームスポットがランドＰＰ１０５に掛かると、プッシュプル信号に立ち下がりパルスが現れる。この立下りパルスの連続性を上記の如く検出することによって、“Ｓｙｎｃ”、“１”、“０”のアドレスデータが再生される。また、プッシュプル信号の高周波成分としてトラッキングエラー信号が抽出される。さらに、プッシュプル信号の低周波成分としてウォブル信号（グルーブ１０３のウォブル波形に応じた信号）が抽出される。トラッキングエラー信号はトラッキングサーボに利用される。ウォブル信号は記録再生クロックの生成に利用される。なお、バースト領域再生時、プッシュプル信号はゼロレベルとなる。
【００３１】
ビームスポットがトラック領域１０４を径方向に移動しているとき、プッシュプル信号上に、トラックピッチ（隣接ランド間の間隔）を一周期とする波形が現れる。この波形の波数をカウントすることにより、横切ったトラック（一対のグルーブとランド）の数が検出される。
【００３２】
ビームスポットがバースト領域１０３を径方向に移動しているとき、プッシュプル信号はゼロレベルとなる。ビームスポットがバースト領域１０３に進入する直前と、バースト領域１０３を抜けた直後、プッシュプル信号上に波形が現れる。これら２つの波形が現れる期間を計測することにより、バースト領域１０３を横切るのに必要な時間を検出できる。かかる計測の詳細については後述する。
【００３３】
フォーカスエラー検出法として非点収差法を用いた場合、センサーＡ、Ｄの出力信号を加算回路３３で加算した値から、センサーＢ、Ｃの出力信号を加算回路３４で加算した値を、減算回路３７で減算することによりフォーカスエラー信号が生成される。かかるフォーカスエラー信号を利用して、ビームスポットの焦点制御がなされる。なお、本実施例では、フォーカスエラー検出法として非点収差法が用いられているものとする。
【００３４】
図３に、ビームスポットがバースト領域１０３を横切るのに必要な時間Ｔを計測するときのビームスポットの移動と各種信号の関係を示す。
【００３５】
時間Ｔの計測が開始されると、まず、ビームスポットがバースト領域１０３直近のグルーブ１０１にアクセスされる。その後、ビームスポットをバースト領域１０３方向に移動させるためのシーク開始信号が出力される。この出力を受けて、ビームスポットのトラッキングサーボがオフにされる。また、光ヘッドの送りモータが所定の駆動力で駆動され、ビームスポットがバースト領域１０３方向に移動される。同時に、時間Ｔを計測するためのタイマーが起動される。
【００３６】
ビームスポットの移動後、ビームスポットがバースト領域に入り切るまでの間、プッシュプル信号上に波形が現れる。ビームスポットがバースト領域を移動している間、プッシュプル信号はゼロレベルとなる。ビームスポットがバースト領域の終縁に達してから完全に抜け切るまでの間、プッシュプル信号上に波形が現れる。この波形が現れた後、プッシュプル信号がゼロレベルになったことに応じて、シーク終了信号が出力される。これにより、ビームスポットのトラッキングサーボがオンにされる。また、上記送りモータの駆動が停止され、ビームスポットの移動が終了する。同時に、時間Ｔを計測するためのタイマーが停止される。
【００３７】
このときのタイマー計測値が、当該駆動力でモータを駆動したときにおけるバースト領域の移動時間Ｔとなる。よって、ビームスポットをバースト領域１０３直近のグルーブ１０１にアクセスさせた後、当該時間Ｔの半分程度の時間だけ、同じ駆動力でモータを駆動すれば、バースト領域１０３のほぼ中央にビームスポットを位置付けることができる。ただし、光ヘッドの起動時は移動途中に比べ大きな駆動力が必要となるため、駆動時間を当該時間Ｔの１／２とすると、ビームスポットがバースト領域の中央よりも手前に位置付けられることとなる。よって、駆動時間は、時間Ｔの１／２よりもやや大きめ（３／５程度）に設定する必要がある。かかる比率をどのような値に設定するかは、実験的に求めればよい。
【００３８】
図４に、上記ディスク１００に対し情報の記録・再生を行う記録再生装置の構成例を示す。
【００３９】
図において、エンコーダ１０は、メモリ２４に記憶されたディスク固有情報（シリアルナンバー等）によって記録データをスクランブルすると共に、スクランブル後のデータに誤り訂正を施す。駆動信号生成回路１１は、エンコーダ１０からの記録データを記録信号に変換する。レーザ駆動回路１２は、記録時において、記録信号生成回路１１からの記録信号に応じて変調された高強度のレーザ光を出力するとともに、再生時において、低強度のレーザ光を出力するよう、光ヘッド１３の半導体レーザを駆動制御する。
【００４０】
光ヘッド１３は、半導体レーザから出射されたレーザ光をディスク上に収束するとともにディスクからの反射光を光検出器にて受光する光学系と、フォーカスサーボ信号およびトラッキングサーボ信号に応じてビームスポットの収束位置を調整するアクチュエータとを備える。なお、かかる光ヘッド１３に内蔵された光検出器は、上記図２にて説明した４分割センサーによって構成されている。
【００４１】
検出信号生成回路２０は、上記図２にて説明した加減算回路を含み、光検出器から出力されたセンサー出力から、ランドＰＰ信号、ＲＦ信号、プッシュプル信号、トラッキングエラー信号、フォーカスエラー信号を生成出力する。波形整形回路２１は、トラック領域再生時に検出信号生成回路２０から出力されたＲＦ信号を波形整形してデコーダ２２に出力する。デコーダ２２は、波形整形回路２１から出力された再生信号を復調してスクランブル化された再生データを生成するとともに、メモリ２４に記憶されたディスク固有情報を用いて当該スクランブルデータのスクランブルを解く。
【００４２】
ＢＣＡデコーダ２３は、バースト領域再生時に検出信号生成回路２０から出力されたＲＦ信号をデコードしてディスク固有情報を生成出力する。メモリ２４は、ＢＣＡデコーダ２３によって生成出力されたディスク固有情報を記憶する。
【００４３】
クロック生成回路２５は、検出信号生成回路２０から出力されたプッシュプル信号（ウォブル信号）に位相整合した記録再生クロックを生成する。アドレスデコーダ２６は、検出信号生成回路２０から出力されたランドＰＰ信号を上記の如くデコードしてアドレスデータを生成出力する。
【００４４】
コントローラ２７は、制御プログラムに従って各部を制御する。かかるコントローラ２７には、信号処理回路の他、タイマー２７ａ、メモリ２７ｂ、カウンター２７ｃが内蔵されている。このうち、カウンター２７ｃは、光ヘッド１３がトラックを横切ったときにプッシュプル信号上に現れる波形の波数をカウントする際に用いられ、タイマー２７ａとメモリ２７ｂは、バースト領域１０３の再生処理の際に用いられる。なお、バースト領域１０３の再生処理については、追って詳述する。
【００４５】
サーボ信号生成回路２８は、検出信号生成回路２０から出力されたトラッキングエラー信号とフォーカスエラー信号からトラッキングサーボ信号とフォーカスサーボ信号を生成し、光ヘッド１３のアクチュエータに供給する。また、クロック生成回路２５から出力されたクロックをもとにモータサーボ信号を生成し、スピンドルモータ２９に供給する。さらに、コントローラ２７から出力されたアクセス指令をもとに、スレッドモータ３０にアクセスサーボ信号を供給する。
【００４６】
スピンドルモータ２９は、サーボ信号生成回路２８から供給されたモータサーボ信号に応じてディスク１００を回転駆動する。スレッドモータ３０は、サーボ信号生成回路２８から供給されたアクセスサーボ信号に応じて所定の駆動力をスレッド送り機構３１に供給する。かかるスレッドモータ３０は、一定の駆動力を発生し得るものであれば如何なるものであってもよく、たとえば、ＤＣモータ等によって構成することができる。スレッド送り機構３１は、光ヘッド１３をディスク径方向に移動可能に支持するとともに、スレッドモータ３０から供給された駆動力に応じて、光ヘッド１３を移動させる。
【００４７】
次に、上記記録再生装置の動作について説明する。
【００４８】
ディスク１００が装着されると、記録再生動作に先立って、バースト領域１０３の再生動作が実行され、ディスク固有情報が再生される。かかる再生動作の詳細については、追って詳述する。再生されたディスク固有情報はメモリ２４に格納され、記録再生動作の際に参照される。
【００４９】
ディスク固有情報の再生動作が終了した後、記録再生装置に記録指令が入力されると、まず、コントローラ２７からレーザ駆動回路１２に低強度（再生用）のレーザ光を出力する指令が入力され、低強度のレーザ光がディスク１００に照射される。また、サーボ信号生成回路２８に回転サーボ指令とフォーカスおよびトラッキングサーボ指令が入力される。これにより、ディスク１００の回転駆動と、イニシャル位置におけるビームスポットのフォーカス調整およびトラッキング調整が行われる。
【００５０】
次いで、アクセス指令がサーボ信号生成回路２８に入力され、光ヘッド１３がトラック領域１０４上の記録位置にアクセスされる。かかるアクセス時、コントローラ２７は、検出信号生成回路２０からのプッシュプル信号に基づき、横切ったトラック数をカウントし、このカウント値が記録位置への移動に要するトラック数に達したかを判定する。また、アドレスデコーダ２６から出力されるアドレスデータを監視し、ビームスポットが記録位置にアクセスされたかを判定する。
【００５１】
ビームスポットが記録位置にアクセスされると、記録データがエンコーダ１０に順次供給され、エンコード処理が行われる。かかるエンコードの際、記録データは、メモリ２４に記憶されたディスク固有情報によってスクランブルされる。エンコードされた記録データは、順次、記録信号生成回路１１に供給され、記録信号に変換される。そして、変換された記録信号が順次レーザ駆動回路１２に供給され、記録信号に応じて変調された高強度のレーザ光がディスク上の対象グルーブに照射される。これにより、記録データに応じた記録マークがグルーブ上に形成され、記録データが順次グルーブ上に記録される。
【００５２】
他方、ディスク固有情報の再生動作が終了した後、記録再生装置に再生指令が入力されると、まず、コントローラ２７からレーザ駆動回路１２に低強度（再生用）のレーザ光を出力する指令が入力され、低強度のレーザ光がディスク１００に照射されるる。また、サーボ信号生成回路２８に回転サーボ指令とフォーカスおよびトラッキングサーボ指令が入力され、ディスク１００の回転駆動と、イニシャル位置におけるビームスポットのフォーカス調整およびトラッキング調整が行われる。
【００５３】
次いで、アクセス指令がサーボ信号生成回路２８に入力され、光ヘッド１３がトラック領域１０４上の再生位置にアクセスされる。かかるアクセス時、コントローラ２７は、検出信号生成回路２０からのプッシュプル信号に基づき、横切ったトラック数をカウントし、このカウント値が再生位置への移動に要するトラック数に達したかを判定する。また、アドレスデコーダ２６から出力されるアドレスデータを監視し、ビームスポットが再生位置にアクセスされたかを判定する。
【００５４】
ビームスポットが再生位置にアクセスされると、グルーブ１０１が低強度のレーザ光によって走査され、これとともに検出信号生成回路２０からＲＦ信号が順次出力される。かかるＲＦ信号は、波形整形回路２１によって波形整形された後、デコーダ２２に供給される。デコーダ２２は、波形整形されたＲＦ信号を復調し、再生データを生成出力する。この際、メモリ２４に記憶されたディスク固有情報を用いて、再生データのスクランブルを解く。これにより、スクランブルのない再生データが生成され、後段回路（図示せず）に供給される。
【００５５】
次に、バースト領域１０３の読み取り動作について説明する。
【００５６】
まず、図５を参照して、光ヘッド送り時間Ｔ０の算出動作について説明する。
【００５７】
コントローラ２７は、まず、レーザ駆動回路１２に対して低強度レーザ光の出力指令を入力する。これにより、低強度のレーザ光がディスク１００に照射される。同時に、コントローラ２７は、サーボ信号生成回路２８に対して回転サーボ指令とフォーカスおよびトラッキングサーボ指令を入力する。これにより、ディスク１００の回転駆動と、イニシャル位置におけるビームスポットのフォーカス調整およびトラッキング調整が行われる。
【００５８】
次いで、コントローラ２７は、サーボ信号生成回路２８にアクセス指令を入力し、光ヘッド１３をバースト領域１０３直近のグルーブ１０３にアクセスさせる（Ｓ１０１）。かかるアクセス時、コントローラ２７は、検出信号生成回路２０からのプッシュプル信号に基づき、横切ったトラック数をカウントし、このカウント値が直近グルーブへの移動に要するトラック数に達したかを判定する。また、アドレスデコーダ２６から出力されるアドレスデータを監視し、監視アドレスが直近グルーブのアドレスに一致するまでアクセス動作を継続させる。
【００５９】
次いで、コントローラ２７は、サーボ信号生成回路２８にシーク開始指令を入力し、光ヘッド１３をバースト領域１０３方向に移動させる（Ｓ１０２）。かかるシーク指令を受けて、サーボ信号生成回路２８は、スレッドモータ３１に対し、光ヘッド１３をバースト領域１０３方向へ移動させるためのサーボ信号を供給する。かかるサーボ信号を受けて、スレッドモータ３０は、所定の駆動力で起動され、これにより、光ヘッド１３がバースト領域１０３方向へ移動される。このとき、コントローラ２７は、サーボ信号生成回路２８に対し、トラッキングサーボをＯＦＦとする指令を入力する。同時に、タイマー２７ａを起動させる（Ｓ１０３）。
【００６０】
しかる後、コントローラ２７は、検出信号生成回路２０から入力されるプッシュプル信号を監視し、光ヘッド１３がバースト領域１０３から抜け出したかを判定する（Ｓ１０４）。そして、光ヘッド１３がバースト領域１０３から抜け出したと判定すると、サーボ信号生成回路２８にシーク終了指令を入力し、光ヘッド１３の移動を停止させる（Ｓ１０５）。同時に、タイマー２７ａの計時動作を終了させる（Ｓ１０６）。そして、タイマー２７ａの計測結果Ｔを取得し、この計測結果Ｔからシーク時間Ｔ０を算出する（Ｓ１０７）。かかる算出は、たとえば上記の如く、Ｔ０＝Ｔ×（３／５）を演算することによって行う。そして、算出結果をメモリ２７ｂに格納する（Ｓ１０８）。
【００６１】
次に、図６を参照して、バースト領域１０３に記憶されたディスク固有情報の再生動作について説明する。
【００６２】
コントローラ２７は、まず、レーザ駆動回路１２に対して低強度レーザ光の出力指令を入力し、同時に、サーボ信号生成回路２８に対して回転サーボ指令とフォーカスおよびトラッキングサーボ指令を入力する。これにより、ディスク１００の回転駆動と、イニシャル位置におけるビームスポットのフォーカス調整およびトラッキング調整が行われる。
【００６３】
次いで、コントローラ２７は、サーボ信号生成回路２８にアクセス指令を入力し、光ヘッド１３をバースト領域１０３直近のグルーブ１０３にアクセスさせる（Ｓ２０１）。かかるアクセス時、コントローラ２７は、検出信号生成回路２０からのプッシュプル信号に基づき、横切ったトラック数をカウントし、このカウント値が直近グルーブへの移動に要するトラック数に達したかを判定する。また、アドレスデコーダ２６から出力されるアドレスデータを監視し、監視アドレスが直近グルーブのアドレスに一致するまでアクセス動作を継続させる。
【００６４】
次いで、コントローラ２７は、サーボ信号生成回路２８にシーク開始指令を入力し、光ヘッド１３をバースト領域１０３方向に移動させる（Ｓ２０２）。かかるシーク指令を受けて、サーボ信号生成回路２８は、スレッドモータ３１に対し、光ヘッド１３をバースト領域１０３方向へ移動させるためのサーボ信号を供給する。かかるサーボ信号を受けて、スレッドモータ３０は、上記光ヘッド送り時間Ｔ０の算出時と同一の駆動力で起動され、これにより、光ヘッド１３がバースト領域１０３方向へ移動される。このとき、コントローラ２７は、サーボ信号生成回路２８に対し、トラッキングサーボをＯＦＦとする指令を入力する。また、タイマー２７ａを起動させる（Ｓ２０３）。
【００６５】
次いで、コントローラ２７は、タイマー２７ａの計測値がメモリ２７ｂに記憶されたシーク時間Ｔ０に達したかを判定する（Ｓ２０４）。そして、タイマー２７ａの計測値がシーク時間Ｔ０に達したと判定すると、コントローラ２７は、サーボ信号生成回路２８にシーク終了指令を入力し、光ヘッド１３の移動を停止させる（Ｓ２０５）。これにより、光ヘッド１３から出射されるレーザ光のビームスポットがバースト領域１０３のほぼ中央に位置付けられる。
【００６６】
しかる後、コントローラ２７は、バースト領域１０３に記録されたディスク固有情報の再生動作を実行する（Ｓ２０６）。すなわち、検出信号生成回路２０から出力されるＲＦ信号のデコード処理をＢＣＡデコーダ２３に実行せしめる（Ｓ２０７）。そして、かかるデコード処理によって取得されたディスク固有情報をメモリ２４に格納せしめる（Ｓ２０８）。
【００６７】
以上、本実施の形態によれば、光ヘッド１３がバースト領域１０３上を横切るに必要な時間Ｔを実際に測定し、その測定結果からシーク時間Ｔ０を算出するものであるから、バースト領域１０３の幅がディスク毎に変動していても、適正なシーク時間Ｔ０を算出することができ、よって、ビームスポットを常にバースト領域のほぼ中央位置に位置付けることができる。また、スレッドモータ３０に一定の駆動力を発生させた状態でシーク時間Ｔ０を算出し、同じ駆動力を光ヘッド１３に付加してビームスポットをバースト領域のほぼ中央に位置付けるものであるから、同一の駆動力を発生できるモータであれば如何なるモータをもスレッドモータ３０として用いることができ、たとえば、ＤＣモータ等の安価なモータをスレッドモータ３０として用いることも可能となる。よって、本実施の形態によれば、コストの低減を図りながら、バースト領域１０３上のディスク固有情報を円滑且つ良好に読み取り再生することができる。
【００６８】
なお、上記図５の処理フローでは、Ｓ１０１〜Ｓ１０８の処理を１サイクル実行してシーク時間Ｔ０を決定するようにしたが、かかる処理サイクルを複数回実行し、それぞれのサイクルで算出したシーク時間Ｔ０を平均化し、図６の処理フローで利用するシーク時間Ｔ０を決定するようにしても良い。すなわち、図５の処理においては、ディスク１００が回転しているため、ディスク偏心等の影響によって、光ヘッド１３とバースト領域１０３との間の相対位置がディスク１００の回転に伴ってディスク径方向に振動する。このため、どのタイミングで図５の処理フローを実行するかによってＳ１０７のタイマーの計測値Ｔがまちまちとなり、１回の処理サイクルだけでは、シーク時間Ｔ０が不適正となるおそれがある。よって、かかる処理サイクルを複数回実行し、さらに、各サイクルで求めたシーク時間Ｔ０を平均値することで、シーク時間Ｔ０の適正化を図る。
【００６９】
次に、上記実施の形態を変更した第２の実施例について説明する。
【００７０】
上記では、バースト領域１０３を走査してシーク時間Ｔ０を決定したが、本実施例は、トラック領域１０４を走査したときのタイマー計測値からシーク時間Ｔ０を近似算出するものである。
【００７１】
図７に示すように、ビームスポットがトラック領域１０４上を移動すると、プッシュプル信号上に１トラックを１周期とする波形が現れる。この波形の波数がバースト領域１０３の幅に相当する波数Ｋｓに達するまでの時間をタイマーで計測し、この計測値を、バースト領域１０３を横切るのに要する時間Ｔとして近似する。そして、上記と同様、この時間Ｔに対し比率（たとえば３／５）を乗算し、シーク時間Ｔ０を決定する。
【００７２】
かかるシーク時間Ｔ０の決定は、バースト領域１０３近傍のトラック領域１０４にて行うのが良い。これにより、実際にバースト領域１０３を走査してシーク時間Ｔ０決定する場合との間のズレを抑制できる。
【００７３】
なお、本実施例は、バースト領域１０３の幅に相当する波数Ｋｓを予め設定することで時間Ｔを近似計測するものであるから、バースト領域１０３の幅が波数Ｋｓに相当する幅と相違する場合には、シーク時間Ｔ０が適正値よりもややずれることも想定され得る。しかしながら、本実施例においても、上記と同様、ＤＣモータ等の安価なモータを用いることができるので、装置本体のコストを低減できる。また、波数をカウントしてシーク時間Ｔ０を決定するものであるから、通常のアクセス動作に用いる波数カウント手段（カウンター、等）を共用することができ、回路および処理の簡素化を図ることができる。
【００７４】
本実施例における記録再生装置の構成は、上記図４と同様である。ただし、コントローラ２７におけるシーク時間Ｔ０の決定処理は、上記図５に示す処理と相違している。
【００７５】
図８に、本実施例に係るシーク時間Ｔ０の決定処理フローを示す。
【００７６】
コントローラ２７は、まず、レーザ駆動回路１２に対して低強度レーザ光の出力指令を入力する。これにより、低強度のレーザ光がディスク１００に照射される。同時に、コントローラ２７は、サーボ信号生成回路２８に対して回転サーボ指令とフォーカスおよびトラッキングサーボ指令を入力する。これにより、ディスク１００の回転駆動と、イニシャル位置におけるビームスポットのフォーカス調整およびトラッキング調整が行われる。
【００７７】
次いで、コントローラ２７は、サーボ信号生成回路２８にアクセス指令を入力し、光ヘッド１３をバースト領域１０３近傍の設定位置にアクセスさせる（Ｓ１１１）。かかるアクセス時、コントローラ２７は、検出信号生成回路２０からのプッシュプル信号に基づき、横切ったトラック数をカウントし、このカウント値が当該設定位置への移動に要するトラック数に達したかを判定する。また、アドレスデコーダ２６から出力されるアドレスデータを監視し、監視アドレスが当該設定位置のアドレスに一致するまでアクセス動作を継続させる。
【００７８】
次いで、コントローラ２７は、サーボ信号生成回路２８にシーク開始指令を入力し、光ヘッド１３をバースト領域１０３方向に移動させる（Ｓ１１２）。かかるシーク指令を受けて、サーボ信号生成回路２８は、スレッドモータ３１に対し、光ヘッド１３をバースト領域１０３方向へ移動させるためのサーボ信号を供給する。かかるサーボ信号を受けて、スレッドモータ３０は、所定の駆動力で起動され、これにより、光ヘッド１３がバースト領域１０３方向へ移動される。このとき、コントローラ２７は、サーボ信号生成回路２８に対し、トラッキングサーボをＯＦＦとする指令を入力する。同時に、タイマー２７ａとカウンター２７ｃを起動させる（Ｓ１１３）。これにより、タイマー２７ａによる計時が開始される。また、プッシュプル信号上に現れる波形、すなわち移動トラック数がカウンター２７ｃによってカウントされる。
【００７９】
しかる後、コントローラ２７は、カウンター２７ｃのカウント数がバースト領域の幅に相当するカウント数Ｋｓに達したかを判定する（Ｓ１１４）。そして、カウント数Ｋｓに達したと判定すると、サーボ信号生成回路２８にシーク終了指令を入力し、光ヘッド１３の移動を停止させる（Ｓ１１６）。同時に、タイマー２７ａの計時動作を終了させる（Ｓ１１７）。そして、タイマー２７ａの計測結果Ｔを取得し、この計測結果Ｔからシーク時間Ｔ０を算出する（Ｓ１１８）。かかる算出は、たとえば上記の如く、Ｔ０＝Ｔ×（３／５）を演算することによって行う。そして、算出結果をメモリ２７ｂに格納する（１１９）。
【００８０】
なお、上記実施例にて説明したと同様、Ｓ１１１〜Ｓ１１９の処理サイクルを複数回実行し、それぞれのサイクルで算出したシーク時間Ｔ０を平均化することでシーク時間Ｔ０を決定するようにすると良い。
【００８１】
また、本実施例では、バースト領域１０３の幅に相当するトラック数の移動時間Ｔからシーク時間Ｔ０を決定するようにしたが、これより少ないトラック数の移動時間からシーク時間Ｔ０を決定するようにしても良い。たとえば、バースト領域１０３の幅に相当するトラック数の１／２のトラック数の移動時間Ｔ（１／２）を検出し、これをそのままシーク時間Ｔ０として用いるようにしても良い。あるいは、バースト領域１０３の幅に相当するトラック数の１／３のトラック数の移動時間Ｔ（１／３）を検出し、これに比率を乗算してシーク時間Ｔ０を算出するようにしても良い。比率は、上記と同様、実験的に設定すればよい。このように、移動トラック数を小さくすると、シーク時間Ｔ０の決定に要する時間を短縮することができる。特に、移動トラック数をバースト領域１０３の幅に相当するトラック数の１／２とすれば、当該トラックの移動時間をそのままシーク時間Ｔ０として用いることができるので、シーク時間Ｔ０の演算処理を省略でき、処理を簡素化できる。
【００８２】
以上、本発明に係る実施の形態について説明したが、本発明はかかる実施の形態に限定されるものではなく、他に種々の変更が可能であることは言うまでもない。たとえば、ディスク、記録再生装置の構成は、上記実施の形態のものに限定されるものではなく、他の構成のディスク、記録再生装置に本発明を適用することも勿論可能である。また、本発明は、光記録再生の他、磁気記録再生または光磁気記録再生にも適用可能である。
【００８３】
また、上記実施の形態では、バースト領域１０３の直近グルーブからバースト領域へとビームをシークさせるようにしたが、これとは異なるグルーブからバースト領域へとシークさせるようにしても良い。なお、上記実施の形態においては、ディスク成形時、バースト領域１０３の記録層を焼失させる際に、バースト領域直近のグルーブ１０１の記録層が同時に焼失される場合が起こり得る。よって、バースト領域直近のグルーブよりも数〜数十トラック離れたグルーブからバースト領域へとビームをシークさせるようにしても良い。この場合、ビームをバースト領域中央に位置付けるためのシーク時間Ｔ０は、上記実施の形態と同様、シーク起点からバースト領域を抜け切るまでの時間Ｔに所定の比率を乗じることによって算出される。ただし、バースト領域直近のグルーブよりも数〜数十トラック離れたグルーブをシーク起点にするため、乗じられる比率は、上記実施の形態の比率（たとえば３／５）よりも、数〜数十トラック離れた分だけ大きく設定する必要がある。
【００８４】
なお、上記シーク時間Ｔ０の決定処理ないしディスク固有情報の再生処理は、ディスク装着時に行っても良いし、記録指令、再生指令が入力される毎に行っても良い。また、シーク時間Ｔ０の決定処理における光ヘッド１３の移動方向（図３および図７のビームスポット走査方向）は、ディスク固有情報の読み出し時に光ヘッド１３をシークさせる方向に一致させれば良く、ディスク固有情報の読み出し時に光ヘッド１３をディスク内周側の直近グルーブからバースト領域１０３へとシークさせる場合には、シーク時間Ｔ０の決定処理時にも内周側から外周方向へとシークさせ、また、ディスク固有情報の読み出し時に光ヘッド１３をディスク外周側の直近グルーブからバースト領域１０３へとシークさせる場合には、シーク時間Ｔ０の決定処理時にも外周側から内周方向へとシークさせればよい。
【００８５】
その他、本発明の実施の形態は、特許請求の範囲に示された技術的思想の範囲内において、適宜、種々の変更が可能である。
【図面の簡単な説明】
【００８６】
【図１】実施の形態に係る光ディスクの構造を示す図
【図２】実施の形態に係る光ディスクと各種信号生成回路の構成を示す図
【図３】実施の形態に係るバースト領域走査時の各種信号の状態を示す図
【図４】実施の形態に係る記録再生装置の構成を示す図
【図５】実施の形態に係るシーク時間Ｔ０の決定時の処理フローチャート
【図６】実施の形態に係るバースト領域再生時の処理フローチャート
【図７】実施の形態に係るトラック領域走査時の各種信号の状態を示す図
【図８】第２実施例に係るシーク時間Ｔ０の決定時の処理フローチャート
【符号の説明】
【００８７】
１３    光ヘッド
２０    検出信号生成回路
２７    コントローラ
２７ａ  タイマー
２７ｂ  メモリ
２７ｃ  カウンター
２８    サーボ信号生成回路
３０    スレッドモータ
３１    スレッド送り機構
１００  ディスク
１０１  グルーブ
１０２  ランド
１０３  バースト領域
１０４  トラック領域
【図１】
2005085415.tif 000003
【図２】
2005085415.tif 000004
【図３】
2005085415.tif 000005
【図４】
2005085415.tif 000006
【図５】
2005085415.tif 000007
【図６】
2005085415.tif 000008
【図７】
2005085415.tif 000009
【図８】
2005085415.tif 000010